(57)【要約】【課題】軸受空間の内外での圧力差を簡単に調整でき、かつ、軸受ケース内に入る水分が蓄積されないロールネック用軸受装置を提供することである。【解決手段】ロールネック１ａを支持する４列円錐ころ軸受３の軸受空間と軸受ケース２の外部とを連通する通気孔１４を設けることにより、軸受空間の内外での圧力差を簡単に調整でき、かつ、軸受ケース２内に入る水分が蓄積されないようにした。【選択図】図１
2007177863.tif 000002
【特許請求の範囲】
【請求項１】
ハウジングに着脱可能に固定される軸受ケースに、水平ロールのロールネックを支持する転がり軸受を組み込み、この転がり軸受の転動体が配列された内外輪の間の軸受空間に潤滑剤を封入して、この軸受空間を弾性体で形成されたシールリップを有するシール部材で密封したロールネック用軸受装置において、前記転がり軸受の軸受空間と前記軸受ケースの外部とを連通する通気孔を設けたことを特徴とするロールネック用軸受装置。
【請求項２】
前記通気孔の前記軸受空間への内側開口を、軸受空間の上部に設けた請求項１に記載のロールネック用軸受装置。
【請求項３】
前記通気孔の前記軸受ケースの外部への外側開口を、軸受ケースの側面または下面に設けた請求項１または２に記載のロールネック用軸受装置。
【請求項４】
前記通気孔の途中に乾燥剤を配設した請求項１乃至３のいずれかに記載のロールネック用軸受装置。
【発明の詳細な説明】
【技術分野】
【０００１】
本発明は、圧延機等のロールネック用軸受装置に関する。
【背景技術】
【０００２】
圧延機等のロールネック用軸受装置には、ハウジングに着脱可能に固定される軸受ケースに、水平ロールのロールネックを支持する転がり軸受を組み込み、この転がり軸受の転動体が配列された内外輪の間の軸受空間にグリース等の潤滑剤を封入して、軸受空間を弾性体で形成されたシールリップを有するシール部材で密封し、封入した潤滑剤の外部への漏れや、水やダスト等の軸受空間への侵入を防止するようにしたものがある（例えば、特許文献１参照）。
【０００３】
特許文献１に記載されたものでは、軸受ケースに潤滑剤補給用の潤滑剤通孔を形成するとともに、軸受ケースの内部で軸受空間を軸受の外部と連通する通気孔を設け、軸受空間に潤滑剤を補給する際にその内圧を低圧に保持して、迅速に潤滑剤を補給できるようにしている。
【０００４】
上述したような軸受空間をシール部材で密封したロールネック用軸受装置では、圧延機等の加減速運転や軸受装置内外での温度差の発生等により、軸受空間の内外で圧力差が生じることがある。このように軸受空間の内外で圧力差が生じると、シール部材の弾性体で形成されたシールリップの接触部から、軸受空間が負圧になった場合は、外部から水やダスト等が軸受空間へ侵入し、軸受空間が正圧になった場合は、潤滑剤が外部へ漏れやすくなり、密封性が低下する問題がある。
【０００５】
このような問題に対しては、シール部材の弾性体で形成された部分に弁体を有する弁機構を設け、軸受空間の内外での圧力差を調整するようにしたロールネック用軸受装置が提案されている（例えば、特許文献２参照）。
【０００６】
【特許文献１】実開平６−５０６号公報
【特許文献２】特開２００４−５２９２４号公報
【発明の開示】
【発明が解決しようとする課題】
【０００７】
特許文献２に記載されたシール部材に弁機構を設けたロールネック用軸受装置は、軸受空間の内外での圧力差を調整することはできるが、シール部材の構成が複雑になり、製造コストが高くなる問題がある。
【０００８】
また、軸受空間の内外での圧力差を調整するためには、特許文献１に記載された軸受空間を外部と連通する通気孔を設けることが考えられるが、この通気孔は軸受ケースの内部で軸受空間の外部と連通させているので、軸受ケースの外部との空気のやり取りがなく、軸受ケース内に入る水分が蓄積され、湿気の多い空気が軸受空間に入って、結露による軸受部品の発錆や潤滑不良を引き起こす恐れがある。
【０００９】
そこで、本発明の課題は、軸受空間の内外での圧力差を簡単に調整でき、かつ、軸受ケース内に入る水分が蓄積されないロールネック用軸受装置を提供することである。
【課題を解決するための手段】
【００１０】
上記の課題を解決するために、本発明は、ハウジングに着脱可能に固定される軸受ケースに、水平ロールのロールネックを支持する転がり軸受を組み込み、この転がり軸受の転動体が配列された内外輪の間の軸受空間に潤滑剤を封入して、この軸受空間を弾性体で形成されたシールリップを有するシール部材で密封したロールネック用軸受装置において、前記転がり軸受の軸受空間と前記軸受ケースの外部とを連通する通気孔を設けた構成を採用した。
【００１１】
すなわち、転がり軸受の軸受空間と軸受ケースの外部とを連通する通気孔を設けることにより、軸受空間の内外での圧力差を簡単に調整でき、かつ、軸受ケース内に入る水分が蓄積されないようにした。
【００１２】
前記通気孔の前記軸受空間への内側開口を、軸受空間の上部に設けることにより、軸受空間に封入された潤滑剤による通気孔の内側開口の詰まりを防止することができる。
【００１３】
前記通気孔の前記軸受ケースの外部への外側開口を、軸受ケースの側面または下面に設けることにより、軸受ケースの外部に飛散するロール冷却水やダスト等が軸受ケースの上面に溜まっても、これらが通気孔の外側開口から浸入するのを防止することができる。
【００１４】
前記通気孔の途中に乾燥剤を配設することにより、通気孔から軸受空間に入る空気を除湿して、軸受ケース内に水分が蓄積するのを防止することができる。
【発明の効果】
【００１５】
本発明のロールネック用軸受装置は、ロールネックを支持する転がり軸受の軸受空間と軸受ケースの外部とを連通する通気孔を設けたので、軸受ケース内に入る水分が蓄積されないように、軸受空間の内外での圧力差を簡単に調整でき、軸受部品の結露による発錆や潤滑不良をなくして、弾性体で形成されたシールリップの接触部での密封性の低下を防止することができる。
【００１６】
前記通気孔の前記軸受空間への内側開口を、軸受空間の上部に設けることにより、軸受空間に封入された潤滑剤による通気孔の内側開口の詰まりを防止することができる。
【００１７】
前記通気孔の前記軸受ケースの外部への外側開口を、軸受ケースの側面または下面に設けることにより、軸受ケースの外部に飛散するロール冷却水やダスト等が軸受ケースの上面に溜まっても、これらが通気孔の外側開口から浸入するのを防止することができる。
【００１８】
前記通気孔の途中に乾燥剤を配設することにより、通気孔から軸受空間に入る空気を除湿して、軸受ケース内に水分が蓄積するのを防止することができる。
【発明を実施するための最良の形態】
【００１９】
以下、図面に基づき、本発明の実施形態を説明する。図１に示すように、このロールネック用軸受装置は、圧延機の水平ロール１のロールネック１ａを支持するものであり、圧延機のハウジング（図示省略）に着脱可能に固定される軸受ケース２に、ロールネック１ａを支持する転がり軸受としての４列円錐ころ軸受３が組み込まれ、その転動体である円錐ころ４が４列に配列された内輪５と外輪６の間の軸受空間に潤滑剤としてグリースが封入されて、軸受空間の両側がシール部材７で密封されている。また、軸受ケース２の前後両端部もシール部材８で密封されている。
【００２０】
前記４列円錐ころ軸受３の内輪５は、２列ずつの軌道面を有するものに２分割されて、押さえリング９でロールネック１ａに抜け止め固定され、外輪６は２列の軌道面を有するものと１列ずつの軌道面を有するものとに３分割されて、これらの間に２つの内間座１０が配設され、両側の内外２つずつの外間座１１ａ、１１ｂを介して、押さえリング１２で軸受ケース２に抜け止め固定されている。軸受ケース２は４列円錐ころ軸受３を組み込んだ状態でロールネック１ａに装着され、固定具１３で水平ロール１に固定される。
【００２１】
図２に拡大して示すように、前記軸受空間を密封するシール部材７は、芯金７ａと弾性体で形成されたシールリップ７ｂとコイルばね７ｃとで構成され、芯金７ａが内側の外間座１１ａに内嵌固定されて、芯金７ａに一体成形されたシールリップ７ｂが、コイルばね７ｃで内輪５の外径面に押圧されるようになっている。図２は後側（図１の右側）のシール部材７を示すが、前側のシール部材７も同じ構成になっている。また、拡大図示は省略するが、押さえリング１２に内嵌された軸受ケース２の前側の２つのシール部材８と、軸受ケース２に直接内嵌された後側のシール部材８も、同様の構成になっている。
【００２２】
図１に示したように、前記軸受ケース２には、４列円錐ころ軸受３の軸受空間と軸受ケース２の外部とを連通する通気孔１４が設けられている。この通気孔１４は、軸受空間への内側開口１４ａが軸受空間の最上部で後側の内間座１０に設けられ、軸受ケース２のケース体の中で上方から後方に延びて、軸受ケース２の後側面２ａに外部への外側開口１４ｂが設けられている。また、外側開口１４ｂ側の通気孔１４の入口部分には、ケース入りの乾燥剤１５が配設されている。
【００２３】
なお、前記通気孔１４の外側開口１４ｂは、軸受ケース２の前側面、横側面または下面に設けることもできるが、例えば圧延機のロールネックの場合は、軸受ケース２の前側面はロール冷却水や圧延油がかかりやすく、横側面と下面は圧延機のハウジングに当接されるので、後側面２ａに設けるのが好ましい。
【００２４】
上述した実施形態では、ロールネックを支持する転がり軸受を複列円錐ころ軸受としたが、この転がり軸受は複列円錐ころ軸受に限定されることはなく、単列や複列の玉軸受や円筒ころ軸受とすることもできる。また、軸受空間を密封するシール部材も実施形態のものに限定されることはなく、弾性体で形成されたシールリップを有するものであればよい。
【図面の簡単な説明】
【００２５】
【図１】ロールネック用軸受装置の実施形態を示す縦断面図
【図２】図１の４列円錐ころ軸受の後側部分を拡大して示す縦断面図
【符号の説明】
【００２６】
１  水平ロール
１ａ  ロールネック
２  軸受ケース
２ａ  後側面
３  ４列円錐ころ軸受
４  円錐ころ
５  内輪
６  外輪
７、８  シール部材
７ａ  芯金
７ｂ  シールリップ
７ｃ  コイルばね
９  押さえリング
１０  内間座
１１ａ、１１ｂ  外間座
１２  押さえリング
１３  固定具
１４  通気孔
１４ａ、１４ｂ  開口
１５  乾燥剤
【図１】
2007177863.tif 000003
【図２】
2007177863.tif 000004